(57)【要約】ソフトボックスの係合装置は、ハウジングを備え、このハウジングに支持部材（６）と、係合部材と、透光ホール（４）とが形成される。この透光ホール（４）が貫通孔状を呈し、内部にフラッシュランプヘッド固定装置が形成される。このフラッシュランプヘッド固定装置が支持プラットフォーム（８）及び支持プラットフォーム（８）に対向し且つ支持プラットフォーム（８）に対して位置調節可能なプレスプレート（７）を備える。このソフトボックスの係合装置によって、トップフラッシュランプは、トップフラッシュランプ折り畳み式ソフトボックスと撮影室フラッシュランプソフトボックスのいずれかを使用することができるようになり、ユーザーの費用を節約する。【選択図】図１
2016510906.tif 000002
【特許請求の範囲】
【請求項１】
ハウジングを備え、前記ハウジングに支持部材と、係合部材と、透光ホールとが形成され、前記透光ホールが貫通孔状を呈するトップフラッシュランプヘッド固定部付きソフトボックス係合装置であって、前記貫通孔状の透光ホール内にトップフラッシュランプヘッド固定装置が形成され、前記フラッシュランプヘッド固定装置が支持プラットフォーム及び位置が支持プラットフォームに対向し且つ支持プラットフォームに対して位置調節可能なプレスプレートを備えることを特徴とするトップフラッシュランプヘッド固定部付きソフトボックス係合装置。
【請求項２】
調節ボルトを更に備え、前記調節ボルトは、透光ホールが形成される前記ハウジングに螺合され、且つ、調節ボルトのヘッドによって前記プレスプレートの支持プラットフォームに対する位置が限定されることを特徴とする請求項１に記載のフラッシュランプヘッド固定部付きソフトボックス係合装置。
【請求項３】
前記透光ホールは、外形がフラッシュランプヘッドと一致する方形孔であることを特徴とする請求項１に記載のフラッシュランプヘッド固定部付きソフトボックス係合装置。
【請求項４】
前記係合部材は、透光ホールの前端部に接続されるリングホールを備え、前記リングホールの周辺には、若干のスロットが設けられ、前記スロットがＬ状を呈し、軸方向スロットと径方向スロットからなり、前記リングホールの軸線は、前記透光ホールの中心線と重なり合うことを特徴とする請求項１に記載のフラッシュランプヘッド固定部付きソフトボックス係合装置。
【請求項５】
リングホールの径方向周辺には、リングディスクが形成されることを特徴とする請求項４に記載のフラッシュランプヘッド固定部付きソフトボックス係合装置。
【請求項６】
前記係合部材は、透光ホールの前端部周辺に接続されるリングディスクを備えることを特徴とする請求項１に記載のフラッシュランプヘッド固定部付きソフトボックス係合装置。
【請求項７】
前記支持部材は、ヒンジングレバー又はジョイント部材であることを特徴とする請求項１に記載のフラッシュランプヘッド固定部付きソフトボックス係合装置。
【発明の詳細な説明】
【技術分野】
【０００１】
本発明は、トップフラッシュランプヘッド（top flash lamp head）固定部付きソフトボックス（softbox）係合装置に関し、撮影器材類に属する。
【背景技術】
【０００２】
カメラのトップフラッシュランプソフトボックス（top flash lamp softbox）は、撮影者によってよく用いられる撮影補助用具であり、使用が非常に普遍的である。従来技術では、前記ソフトボックスは、一般的に、反射カバー（レフレクター）とチャックから構成される。普通、ソフトボックスとフラッシュランプは、係合部材によって固定されて接続される。前記係合部材は、産業上の長時間の改良の後、現在、主に、クランピングベース（clamping base）型とチャック型との２種類の基本的な構造形態がある。クランピングベース型については、上表面に、クランピングホールのタイプが異なる撮影室フラッシュランプソフトボックスとマッチングされるためのクランピングホールがあり、このクランピングホールを介して、撮影室フラッシュランプソフトボックスはトップフラッシュランプのために用いられるようになる。チャック型については、上表面に皿状リングがあり、チャックを介してトップフラッシュランプのために設計される目前に市販される折り畳み式ソフトボックスに接続される。従来技術は、クランピングベースにしても、チャックにしても、ジョイント又はヒンジ付きＬ状部材を介してフラッシュランプに接続され、且つ、フラッシュランプボディーに接続され、クランピングベース又はチャックの角度が独立して調節されることは可能であり、ジョイント又はヒンジ装置によって上下左右等にフラッシュランプの位置を調節することにより、トップフラッシュランプヘッドをクランピングベース又はチャックの透光ホールに嵌め込むことができ、ソフトボックスを使用する効果を達成する。しかしながら、このような効果を達成するために、一定時間の調節で達成することが明らかであり、比較的に面倒になる。且つ、従来技術のクランピングベース又はチャックは、Ｌ状部材を有し、サイズが比較的に大きく、携帯に不便になる。また、トップフラッシュランプの取り付けには、Ｌ状部材の影響が及ばされ、トップフラッシュランプのヘッド部分とソフトボックスの接続が適切ではない場合があり、実際応用の光効果に悪い影響を及ぼす。さらに、トップフラッシュランプの固定及び上下左右の移動を実現するために、Ｌ状部材は、普通、金属材料からなり、加工が非常に複雑であり、処理に多くの工夫が必要であり、コストが非常に高い。要するに、従来技術は、一層改良する必要があることが明らかである。
【発明の概要】
【０００３】
本発明は、トップフラッシュランプヘッド固定部付きソフトボックス係合装置を提供し、従来技術の問題を解決することを目的とする。
【０００４】
ハウジングを備え、前記ハウジングに支持部材と、係合部材と、透光ホールとが形成され、前記透光ホールが貫通孔状を呈する本発明に係るトップフラッシュランプヘッド固定部付きソフトボックス係合装置は、前記貫通孔状の透光ホール内にトップフラッシュランプヘッド固定装置が形成され、前記フラッシュランプヘッド固定装置が支持プラットフォーム及び位置が支持プラットフォームに対向し且つ支持プラットフォームに対して位置調節可能なプレスプレートを備えることを特徴とする。
【０００５】
好適な実施形態としては、調節ボルトを更に備え、前記調節ボルトは、透光ホールが形成される前記ハウジングに螺合され、且つ、調節ボルトのヘッドによって前記プレスプレートの支持プラットフォームに対する位置が限定される。
【０００６】
好適な実施形態としては、前記透光ホールは、外形がフラッシュランプヘッドと一致する方形孔である。
【０００７】
好適な実施形態としては、前記係合部材は、透光ホールの前端部に接続されるリングホールを備え、前記リングホールの周辺には、若干のスロットが設けられ、前記スロットがＬ状を呈し、軸方向スロットと径方向スロットからなり、前記リングホールの軸線は、前記透光ホールの中心線と重なり合う。
【０００８】
上述の好適な実施形態の更なる改良としては、リングホールの径方向周辺には、リングディスクが形成される。
【０００９】
他の好適な実施形態としては、前記係合部材は、透光ホールの前端部周辺に接続されるリングディスクを備える。
【００１０】
更なる好適な実施形態としては、前記支持部材は、ヒンジングレバー又はジョイント部材である。
【００１１】
本発明に係るトップフラッシュランプヘッド固定部付きソフトボックス係合装置は、透光ホール内にフラッシュランプヘッド固定装置が設置され、フラッシュランプヘッドを固定することによってフラッシュランプと係合装置の接続を実現する。従来技術に比べて、このような固定接続形態は、使用際にフラッシュランプヘッドの角度及び位置と係合装置の適応性を調節する必要がある問題を解決し、ユーザーの使用に大幅に便利になる。また、本発明によれば、従来技術のＬ状部材がなくなり、サイズが大幅に低減され、携帯に非常に便利になる。また、Ｌ状部材がなくなるため、製品全体は、プラスチックから射出成形され、そして、簡単に組み立てられればよく、加工工夫及びコストを大幅に節約する。更に、本発明は、トップフラッシュランプヘッドとソフトボックスの前後マッチング位置を勝手に調節できるとともに、トップフラッシュランプのヘッド中心が透光ホールの中心軸線にあることを確保でき、最もよい光効果を実現し、これは、従来技術の２種類の係合部材で実現されないものである。好適な実施形態としては、本発明は、リングディスク構造の設置によって、チャックとクランピングベース構造を実質的に結合し、これにより、トップフラッシュランプは、トップフラッシュランプ折り畳み式ソフトボックスと撮影室フラッシュランプソフトボックスのいずれかを使用することができるようになり、従来技術の２種類の係合部材の統一を完璧に実現し、そして、ユーザーのために費用を節約し、本発明の目的を達成することが明らかである。
【図面の簡単な説明】
【００１２】
図１は、本発明の好適な実施形態に係るトップフラッシュランプヘッド固定部付きソフトボックス係合装置の構造概略図である。
図２は、本発明の好適な実施形態に係るトップフラッシュランプヘッド固定部付きソフトボックス係合装置の、図１に対して視角を変えた後の構造概略図である。
【符号の説明】
【００１３】
１   リングホール
２   スロット
２１ 軸方向スロット
２２ 径方向スロット
３   チャック
４   透光ホール
５   軸方向位置定め端面
６   支持部材
７   プレスプレート
８   支持プラットフォーム
９   調節ボルト
【発明を実施するための形態】
【００１４】
以下、本発明の好適な実施形態に係るトップフラッシュランプヘッド固定部付きソフトボックス係合装置及び図面を参照して、本発明について説明する。
【００１５】
本発明の好適な実施形態に係るトップフラッシュランプヘッド固定部付きソフトボックス係合装置は、図１、図２に示されるように、ハウジングを備え、前記ハウジングには、支持部材６と、係合部材と、透光ホール４とが形成される。前記透光ホール４は、貫通孔状を呈する。前記貫通孔状の透光ホール４内には、フラッシュランプヘッド固定装置が形成される。前記フラッシュランプヘッド固定装置は、支持プラットフォーム８及び位置が支持プラットフォーム８に対向し且つ支持プラットフォーム８に対して位置調節可能なプレスプレート７を備える。
【００１６】
この好適な実施形態では、調節ボルト９を更に備え、前記調節ボルト９は、透光ホール４が形成される前記ハウジングに螺合され、且つ、調節ボルト９のヘッドによって前記プレスプレート７の支持プラットフォーム８に対する位置が限定される。
【００１７】
この好適な実施形態では、前記透光ホール４は、外形がフラッシュランプヘッドと一致する方形孔である。
【００１８】
この好適な実施形態では、前記係合部材は、透光ホール４の前端部に接続されるリングホール１を備える。前記リングホール１の周辺には、若干のスロット２が設けられ、前記スロット２がＬ状を呈し、軸方向スロット２１と径方向スロット２２からなる。この好適な実施形態では、前記リングホール１の軸線は、前記透光ホール４の中心線と重なり合う。
【００１９】
上述の好適な実施形態の更なる改良としては、リングホールの径方向周辺には、リングディスクが形成され、前記支持部材は、ヒンジングレバー又はジョイント部材である。
【００２０】
特に、前記透光ホール４の前端部周辺には、一つのリングディスクのみが単独に形成され、これも本発明の実施可能な形態であり、本発明の要旨及び構造特徴にも合致する。
【００２１】
要するに、ハウジングを備え、前記ハウジングに支持部材と、係合部材と、透光ホールとが形成され、前記透光ホールが貫通孔状を呈する本発明に係るトップフラッシュランプヘッド固定部付きソフトボックス係合装置は、前記貫通孔状の透光ホール内にフラッシュランプヘッド固定装置が形成され、前記フラッシュランプヘッド固定装置が支持プラットフォーム及び位置が支持プラットフォームに対向し且つ支持プラットフォームに対して位置調節可能なプレスプレートを備えることを特徴とする。本発明は、使用の便利性を向上させ、トップフラッシュランプの応用範囲を広げる。
【００２２】
上記は、本発明の実施形態にすぎない。しかしながら、本発明の保護範囲は、これに限定されない。当業者が本発明に開示された技術的範囲において容易に想到し得る変化又は代替は、本発明の保護範囲に属する。従って、本発明の保護範囲は、特許請求の保護範囲に準じるべきである。
【図１】
2016510906.tif 000003
【図２】
2016510906.tif 000004
【国際調査報告】
2016510906.tif 000005
2016510906.tif 000006
2016510906.tif 000007
2016510906.tif 000008
2016510906.tif 000009